(57)【要約】【課題】システム構成の大規模化を抑制しつつ、携行品の紛失や盗難を防止できるようにする。【解決手段】親機１１を自分の身に付けるとともに、子機２２ａ〜２２ｄを携行品に取り付け、親機１１と子機２２ａ〜２２ｄとの間で通信がそれぞれ確立すると、距離判定部１１４は、親機１１と子機２２ａ〜２２ｄとの間の通信状態に基づいて、親機１１と子機２２ａ〜２２ｄとの間が一定距離以上離れているかどうかを判定し、制御部１１３は、親機１１と子機２２ａ〜２２ｄとの間が一定距離以上離れている場合、アラーム部１１６を動作させ、タイマ１１５にて決められた時間だけアラームを鳴らす。【選択図】      図１
2007272634.tif 000002
【特許請求の範囲】
【請求項１】
親機と子機との間の通信状態に基づいて、前記親機と前記子機との間が一定距離以上離れているかどうかを判定する距離判定手段と、
前記親機と前記子機との間が一定距離以上離れている場合、前記親機側で警報を発生させる警報発生手段とを備えることを特徴とする紛失／盗難防止装置。
【請求項２】
親機と子機との間の距離を前記子機ごとに個別に設定する距離設定手段と、
前記親機と前記子機との間の通信状態に基づいて、前記親機と前記子機との間が設定された距離以上離れているかどうかを前記子機ごとに個別に判定する距離判定手段と、
前記親機と前記子機との間が設定された距離以上離れている場合、前記親機側と前記子機側で警報を発生させる警報発生手段とを備えることを特徴とする紛失／盗難防止装置。
【請求項３】
親機と子機との間の通信状態に基づいて、前記親機と前記子機との間が一定距離以上離れているかどうかを判定する距離判定手段と、
前記親機と前記子機との間の通信状態の変化状況に基づいて、前記親機と前記子機との間の速度差が一定値以上あるかどうかを判定する速度差判定手段と、
前記親機と前記子機との間が一定距離以上離れるとともに、前記親機と前記子機との間の速度差が一定値以上である場合、前記親機側と前記子機側で警報を発生させる警報発生手段とを備えることを特徴とする紛失／盗難防止装置。
【請求項４】
前記親機は携行品に組み込まれたチップ部品であることを特徴とする請求項１から３のいずれか１項記載の紛失／盗難防止装置。
【発明の詳細な説明】
【技術分野】
【０００１】
本発明は紛失／盗難防止装置に関し、特に、親機と子機との間で直接通信を行うことにより物品の紛失や盗難を警告する方法に適用して好適なものである。
【背景技術】
【０００２】
近年の携帯電話の普及やパーソナルコンピュータの高性能化、ＵＳＢメモリの大容量化などによって、これらの情報携帯端末を外出先に持ち運ぶ機会が増えている。その一方で、これらの情報携帯端末を外出先に持ち運ぶ機会が増えると、これらの情報携帯端末を紛失したり、情報携帯端末の盗難に合ったりする機会も増大し、個人情報や機密情報の漏洩が深刻な問題となっている。
【０００３】
一方、財布やカバンなどのひったくりを防止するために、ピンを引き抜くことにより大音量のブザーが鳴るように構成されたひったくり防止ブザーなどがある。
また、例えば、特許文献１には、既存の移動体通信回線網および携帯型通信機器を利用して、簡易かつ安価に構築することができ、かつ、盗難や紛失などの携行品の異常状態の発生を早期に報知するとともに、携行品の所在をいち早く認識して、手元に取り戻すことができる盗難防止システムが開示されている。
【特許文献１】特開２０００−２１５３７４号公報
【発明の開示】
【発明が解決しようとする課題】
【０００４】
しかしながら、特許文献１に開示された方法では、盗難や紛失などの携行品の異常状態の発生を早期に報知するために、既存の移動体通信回線網および携帯型通信機器を利用する必要があることから、盗難防止システムの構成が大規模になり、盗難防止システムの普及に障害になるという問題があった。
そこで、本発明の目的は、システム構成の大規模化を抑制しつつ、携行品の紛失や盗難を防止することが可能な紛失／盗難防止装置を提供することである。
【課題を解決するための手段】
【０００５】
上述した課題を解決するために、請求項１記載の紛失／盗難防止装置によれば、親機と子機との間の通信状態に基づいて、前記親機と前記子機との間が一定距離以上離れているかどうかを判定する距離判定手段と、前記親機と前記子機との間が一定距離以上離れている場合、前記親機側で警報を発生させる警報発生手段とを備えることを特徴とする。
これにより、親機と子機との間で直接通信を行うことで、親機と子機との間が一定距離以上離れているかどうかを判定することができる。このため、携行品に子機を取り付けるとともに、親機を手元におくことで、携行品が紛失したら即座に警報を受けることができ、システム構成の大規模化を抑制しつつ、携行品の紛失を防止することが可能となる。また、１台の親機に複数の子機を登録できるので、合理的なシステム構成とすることができる。
【０００６】
また、請求項２記載の紛失／盗難防止装置によれば、親機と子機との間の距離を前記子機ごとに個別に設定する距離設定手段と、前記親機と前記子機との間の通信状態に基づいて、前記親機と前記子機との間が設定された距離以上離れているかどうかを前記子機ごとに個別に判定する距離判定手段と、前記親機と前記子機との間が設定された距離以上離れている場合、前記親機側と前記子機側で警報を発生させる警報発生手段とを備えることを特徴とする。
【０００７】
これにより、親機と子機との間で直接通信を行うことで、親機と子機との間が一定距離以上離れているかどうかを判定することが可能となるとともに、物品の種類ごとに警報を鳴らすための検出距離を異ならせることができる。このため、携行品に子機を取り付けるとともに、親機を手元におくことで、携行品が紛失したら即座に警報を受けることが可能となり、システム構成の大規模化を抑制しつつ、携行品の紛失を防止することが可能となる。
【０００８】
また、請求項３記載の紛失／盗難防止装置によれば、親機と子機との間の通信状態に基づいて、前記親機と前記子機との間が一定距離以上離れているかどうかを判定する距離判定手段と、前記親機と前記子機との間の通信状態の変化状況に基づいて、前記親機と前記子機との間の速度差が一定値以上であるかどうかを判定する速度差判定手段と、前記親機と前記子機との間が一定距離以上離れるとともに、前記親機と前記子機との間の速度差が一定値以上ある場合、前記親機側と前記子機側で警報を発生させる警報発生手段とを備えることを特徴とする。
【０００９】
これにより、親機と子機との間で直接通信を行うことで、親機と子機との間が一定距離以上離れているかどうかを判定することが可能となるとともに、親機と子機との間の速度差が一定値以上あるかどうかを判定することができ、子機が紛失した際に子機が静止しているのか、子機が親機と反対方向に移動しているのかを識別することが可能となる。このため、携行品に子機を取り付けるとともに、親機を手元におくことで、携行品が紛失したのか盗難されたかを区別することができ、システム構成の大規模化を抑制しつつ、携行品の紛失および盗難を防止することが可能となる。
また、請求項４記載の紛失／盗難防止装置によれば、前記親機は携行品に組み込まれたチップ部品であることを特徴とする。
これにより、携帯電話などの移動通信端末等に親機を組み込むことが可能となり、紛失／盗難防止装置を適用可能な物品の範囲を拡大することが可能となる。
【発明の効果】
【００１０】
以上説明したように、本発明によれば、親機と子機との間で直接通信を行うことで、親機と子機との間が一定距離以上離れているかどうかを判定することができ、システム構成の大規模化を抑制しつつ、携行品の紛失を防止することが可能となる。
【発明を実施するための最良の形態】
【００１１】
以下、本発明の実施形態に係る紛失／盗難防止装置について図面を参照しながら説明する。
図１は、本発明の第１実施形態に係る紛失／盗難防止装置の概略構成を示す外観図である。
図１において、紛失／盗難防止装置には、親機１１および子機２２ａ〜２２ｄが設けられ、親機１１は子機２２ａ〜２２ｄとそれぞれ直接通信を行うことができる。なお、親機１１が子機２２ａ〜２２ｄとそれぞれ直接通信を行う方法としては、例えば、ＢｌｕｅｔｈｏｏｔｈやＩｒＤＡなどを挙げることができる。ここで、親機１１は自分の身に付けて使用し、子機２２ａ〜２２ｄは携行品にそれぞれ取り付けて使用することができる。例えば、子機２２ａ〜２２ｄは、携帯電話２１ａ、パーソナルコンピュータ２１ｂ、ＵＳＢメモリ２１ｃおよびカバン２１ｄにそれぞれ取り付けて使用することができる。なお、携帯電話２１ａ、パーソナルコンピュータ２１ｂ、ＵＳＢメモリ２１ｃおよびカバン２１ｄに子機２２ａ〜２２ｄをそれぞれ取り付ける場合、例えば、ストラップなどを用いることができる。また、子機２２ａ〜２２ｄとしてＲＦＩＤタグを用いるようにしてもよい。
【００１２】
そして、親機１１には、電源のオン／オフを行う電源スイッチ１７、アラームのオン／オフを設定するアラームオン／オフスイッチ１２、警報手段（音や振動など）の切り替えを行う警報切り替え部１３、アラーム音（メロディやブザーなど）の設定を行うアラーム音設定部１４、アラームの音量を設定する音量設定部１５、および警報発生時の親機１１と子機２２ａ〜２２ｄとの間の距離を設定する動作距離設定部１６が設けられている。
【００１３】
図２は、本発明の第１実施形態に係る紛失／盗難防止装置の概略構成を示すブロック図である。
図２において、図１の親機１１には、アンテナ１１１、子機２２ａ〜２２ｄとの間で通信を行う通信部１１２、親機１１と子機２２ａ〜２２ｄとの間の通信状態に基づいて、親機１１と子機２２ａ〜２２ｄとの間が一定距離以上離れているかどうかを判定する距離判定部１１４、時間の計時を行うタイマ１１５、アラームを発生させるアラーム部１１６、振動を発生させる振動発生部１１７およびこれらのブロックの全体的な制御を行う制御部１１３が設けられている。
【００１４】
一方、図１の子機２２ａには、アンテナ２３および親機１１との間で通信を行う通信部２４が設けられている。なお、子機２２ｂ〜２２ｄも子機２２ａと同様の構成をとることができる。
そして、親機１１を自分の身に付けた状態で、携帯電話２１ａ、パーソナルコンピュータ２１ｂ、ＵＳＢメモリ２１ｃおよびカバン２１ｄにそれぞれ子機２２ａ〜２２ｄを取り付け、電源スイッチ１７をオンすると、親機１１と子機２２ａ〜２２ｄとの間で通信がそれぞれ確立する。そして、親機１１と子機２２ａ〜２２ｄとの間で通信がそれぞれ確立すると、距離判定部１１４は、親機１１と子機２２ａ〜２２ｄとの間の通信状態に基づいて、親機１１と子機２２ａ〜２２ｄとの間が一定距離以上離れているかどうかを判定する。例えば、親機１１は、子機２２ａ〜２２ｄから送られた電波の受信レベルに基づいて、親機１１と子機２２ａ〜２２ｄとの間が一定距離以上離れているかどうかを判定することができる。
【００１５】
そして、制御部１１３は、親機１１と子機２２ａ〜２２ｄとの間が一定距離以上離れている場合、警報切り替え部１３の指定に従って、アラーム部１１６を動作させ、タイマ１１５にて決められた時間だけアラームを鳴らしたり、振動発生部１１７を動作させ、タイマ１１５にて決められた時間だけ振動を発生させたりすることができる。
これにより、親機１１と子機２２ａ〜２２ｄとの間で直接通信を行うことで、親機１１と子機２２ａ〜２２ｄとの間が一定距離以上離れているかどうかを判定することができる。このため、携帯電話２１ａ、パーソナルコンピュータ２１ｂ、ＵＳＢメモリ２１ｃおよびカバン２１ｄなどの携行品に子機２２ａ〜２２ｄをそれぞれ取り付けるとともに、親機１１を手元におくことで、携行品が紛失したら即座に警報を受けることができ、システム構成の大規模化を抑制しつつ、これら全ての携行品の紛失を防止することが可能となる。
【００１６】
図３は、本発明の第２実施形態に係る紛失／盗難防止装置の概略構成を示す外観図である。
図３において、紛失／盗難防止装置には、親機３１および子機４２ａ〜４２ｄが設けられ、親機３１は子機４２ａ〜４２ｄとそれぞれ直接通信を行うことができる。ここで、子機４２ａ〜４２ｄは、例えば、携帯電話４１ａ、財布４１ｂ、靴４１ｃおよび傘４１ｄにそれぞれ取り付けて使用することができる。
【００１７】
そして、親機３１には、データ表示を行う表示部３２、子機探索を行う子機探索部３３、表示データの選択を行う選択ボタン３４、データを決定するＳＥＴボタン３４ａ、アラームのオン／オフを設定するアラームオン／オフスイッチ３５、警報を発生させるための、親機３１と子機４２ａ〜４２ｄとの間の検出距離を子機４２ａ〜４２ｄごとに個別設定する距離個別設定ボタン３６、警報を発生させるための、親機３１と子機４２ａ〜４２ｄとの間の検出距離を全ての子機４２ａ〜４２ｄにつき一括で設定する距離一括設定ボタン３７、およびアラームの音量を設定する音量設定レバー３８が設けられている。なお、アラームのオン／オフは、アラームオン／オフスイッチ３５にて一括で設定することもできるし、選択ボタン３４およびＳＥＴボタン３４ａを使って登録された子機４２ａ〜４２ｄごとに設定することもできる。
【００１８】
図４は、本発明の第２実施形態に係る紛失／盗難防止装置の概略構成を示すブロック図である。
図４において、図３の親機３１には、アンテナ１３１、子機４２ａ〜４２ｄとの間で通信を行う通信部１３２、親機３１と子機４２ａ〜４２ｄとの間の通信状態に基づいて、親機３１と子機４２ａ〜４２ｄとの間が一定距離以上離れているかどうかを判定する距離判定部１３４、時間の計時を行うタイマ１３５、アラームを発生させるアラーム部１３６、距離設定テーブル１３９ａを記憶する記憶部１３９およびこれらのブロックの全体的な制御を行う制御部１３３が設けられている。なお、距離設定テーブル１３９ａには、子機４２ａ〜４２ｄごとに設定された親機３１との間の検出距離を設定することができる。
【００１９】
一方、図３の子機４２ａには、アンテナ４３、親機３１との間で通信を行う通信部４４、アラームを発生させるアラーム部４６、子機４２ａに固有のＩＤを格納するＩＤ格納部４７およびこれらのブロックの全体的な制御を行う制御部４５が設けられている。なお、子機４２ｂ〜４２ｄも子機４２ａと同様の構成をとることができる。
そして、親機３１を自分の身に付けた状態で、携帯電話４１ａ、財布４１ｂ、靴４１ｃおよび傘４１ｄにそれぞれ子機４２ａ〜４２ｄを取り付け、電源スイッチ３９をオンすると、親機３１と子機４２ａ〜４２ｄとの間で通信がそれぞれ確立する。親機３１の記憶部１３９には、あらかじめ子機４２ａ〜４２ｄに固有のＩＤと、検出距離の初期値が記憶されている。
【００２０】
また、子機を新たに追加する場合には、新たな子機を親機３１に近づけ、通信を確立させることで、親機３１は新たな子機に固有のＩＤを受信し、そのＩＤと検出距離の初期値を記憶部１３９に記憶する。
あらかじめ記憶されている検出距離の初期値の変更方法は、下記の２つがある。１つは、個別設定である。選択ボタン３４を操作して設定する子機４２ａ〜４２ｄを選択し、距離個別設定ボタン３６を押すと、距離判定部１３４は、選択した子機４２ａ〜４２ｄと親機３１との距離を判定し、その距離を記憶部１３９に記憶する。もう１つは、一括設定である。距離一括設定ボタン３７を押すと、親機３１に登録されている全ての子機４２ａ〜４２ｄにつき、距離判定部１３４が親機３１との距離を順次判定し、その距離を記憶部１３９に記憶する。
【００２１】
距離判定部１３４は、親機３１と子機４２ａ〜４２ｄとの間が記憶部１３９に記憶されている検出距離＋α以上離れているかを、１つ１つの子機４２ａ〜４２ｄにつき順次判定する。検出距離＋α以上離れていると判定された場合、制御部１３３はアラーム部１３６を動作させ、タイマ１３５にて決められた時間だけアラームを鳴らすことができる。ここで、αは、誤警報を防止するための余裕値であり、選択ボタン３４とＳＥＴボタン３４ａにより子機４２ａ〜４２ｄごとに設定することができる。
【００２２】
また、アラームが鳴った場合に子機探索部３３を押すと、制御部１３３は、親機３１との間で一定距離＋α以上離れている子機４２ａ〜４２ｄに固有のＩＤを記憶部１３９から読み出す。そして、通信部１３２は、そのＩＤで特定される子機４２ａ〜４２ｄに対して、アラーム動作指令をそのＩＤとともに送信する。
そして、アラーム動作指令がＩＤとともに親機３１から送られると、子機４２ａ〜４２ｄの通信部４４は、アラーム動作指令をＩＤとともに受信し、制御部４５に送る。そして、制御部４５は、通信部４４にて受信されたＩＤが自己のＩＤに一致しているかどうかを判断し、通信部４４にて受信されたＩＤが自己のＩＤに一致している場合、親機３１から送られたアラーム動作指令に基づいてアラーム部４６を動作させ、アラームを鳴らすことができる。そして、子機４２ａ〜４２ｄのアラームが鳴ると、親機３１を保持しているユーザは、子機４２ａ〜４２ｄから発するアラーム音に基づいて子機４２ａ〜４２ｄの探索を行うことができる。
【００２３】
また、携行品が見つからない場合などに、選択ボタン３４により子機４２ａ〜４２ｄを選択し、子機探索部３３を押すと、制御部１３３は、選択した子機４２ａ〜４２ｄに固有のＩＤを記憶部１３９から読み出す。そして、通信部１３２は、そのＩＤで特定される子機４２ａ〜４２ｄに対して、アラーム動作指令をそのＩＤとともに送信する。
【００２４】
そして、アラーム動作指令がＩＤとともに親機３１から送られると、子機４２ａ〜４２ｄの通信部４４は、アラーム動作指令をＩＤとともに受信し、制御部４５に送る。そして、制御部４５は、通信部４４にて受信されたＩＤが自己のＩＤに一致しているかどうかを判断し、通信部４４にて受信されたＩＤが自己のＩＤに一致している場合、親機３１から送られたアラーム動作指令に基づいてアラーム部４６を動作させ、アラームを鳴らすことができる。そして、子機４２ａ〜４２ｄのアラームが鳴ると、親機３１を保持しているユーザは、子機４２ａ〜４２ｄから発するアラーム音に基づいて子機４２ａ〜４２ｄの探索を行うことができる。
【００２５】
これにより、親機３１と子機４２ａ〜４２ｄとの間で直接通信を行うことで、親機３１と子機４２ａ〜４２ｄとの間が一定距離以上離れているかどうかを判定することが可能となるとともに、物品の種類ごとに警報が鳴る距離を異ならせることができる。このため、携行品に子機４２ａ〜４２ｄを取り付けるとともに、親機３１を手元におくことで、携行品が紛失したら即座に警報を受けることが可能となり、システム構成の大規模化を抑制しつつ、携行品の紛失を防止することが可能となる。
【００２６】
図５は、本発明の第３実施形態に係る紛失／盗難防止装置の概略構成を示す外観図である。
図５において、紛失／盗難防止装置には、親機５１および子機６２ａ〜６２ｄが設けられ、親機５１は子機６２ａ〜６２ｄとそれぞれ直接通信を行うことができる。ここで、子機６２ａ〜６２ｄは、例えば、携帯電話６１ａ、財布６１ｂ、靴６１ｃおよび傘６１ｄにそれぞれ取り付けて使用することができる。
【００２７】
そして、親機５１には、データ表示を行う表示部５２、表示データの選択を行う選択ボタン５４、データを決定するＳＥＴボタン５４ａ、アラームのオン／オフを設定するアラームオン／オフスイッチ５５、警報を発生させるための、親機５１と子機６２ａ〜６２ｄとの間の検出距離を子機６２ａ〜６２ｄごとに個別設定する距離個別設定ボタン５６、警報を発生させるための、親機５１と子機６２ａ〜６２ｄとの間の検出距離を全ての子機６２ａ〜６２ｄにつき一括で設定する距離一括設定ボタン３７、およびアラームの音量を設定する音量設定レバー５８が設けられている。
【００２８】
図６は、本発明の第３実施形態に係る紛失／盗難防止装置の概略構成を示すブロック図である。
図６において、図５の親機５１には、アンテナ１５１、子機６２ａ〜６２ｄとの間で通信を行う通信部１５２、親機５１と子機６２ａ〜６２ｄとの間の通信状態に基づいて、親機５１と子機６２ａ〜６２ｄとの間が一定距離以上離れているかどうかを判定する距離判定部１５４、時間の計時を行うタイマ１５５、アラームを発生させるアラーム部１５６、親機５１と子機６２ａ〜６２ｄとの間の通信状態の変化状況に基づいて、親機５１と子機６２ａ〜６２ｄとの間の速度差が一定値以上あるかどうかを判定する速度差判定部１５７、距離設定テーブル１５９ａなどを記憶する記憶部１５９およびこれらのブロックの全体的な制御を行う制御部１５３が設けられている。なお、距離設定テーブル１５９ａには、子機６２ａ〜６２ｄごとに設定された親機５１との間の検出距離を記憶することができる。
【００２９】
一方、図５の子機６２ａには、アンテナ６３、親機５１との間で通信を行う通信部６４、アラームを発生させるアラーム部６５、子機６２ａに固有のＩＤを格納するＩＤ格納部６７およびこれらのブロックの全体的な制御を行う制御部６６が設けられている。なお、子機６２ｂ〜６２ｄも子機６２ａと同様の構成をとることができる。
そして、親機５１を自分の身に付けた状態で、携帯電話６１ａ、財布６１ｂ、靴６１ｃおよび傘６１ｄにそれぞれ子機６２ａ〜６２ｄを取り付け、電源スイッチ５９をオンすると、親機５１と子機６２ａ〜６２ｄとの間で通信がそれぞれ確立する。親機５１の記憶部１５９には、あらかじめ子機６２ａ〜６２ｄに固有のＩＤと、検出距離の初期値が記憶されている。
【００３０】
また、子機を新たに追加する場合には、新たな子機を親機５１に近づけ、通信を確立させることで、親機５１は新たな子機に固有のＩＤを受信し、そのＩＤと検出距離の初期値を記憶部１５９に記憶する。
あらかじめ記憶されている検出距離の初期値の変更方法は、下記の２つがある。１つは、個別設定である。選択ボタン５４を操作して設定する子機６２ａ〜６２ｄを選択し、距離個別設定ボタン５６を押すと、距離判定部１５４は、選択した子機６２ａ〜６２ｄと親機５１との距離を判定し、その距離を記憶部１５９に記憶する。もう１つは、一括設定である。距離一括設定ボタン５７を押すと、親機５１に登録されている全ての子機６２ａ〜６２ｄにつき、距離判定部１５４が親機５１との距離を順次判定し、その距離を記憶部１５９に記憶する。
【００３１】
そして、距離判定部１５４は、親機５１と子機６２ａ〜６２ｄとの間の通信状態に基づいて、親機５１と子機６２ａ〜６２ｄとの間が一定距離以上離れているかを判定すると同時に、判定した距離を記憶部１５９に記憶する。この処理は、一定周期ごとに行われる。さらに、速度差判定部１５７は、前回の処理周期で記憶部１３９に記憶されている親機５１と子機６２ａ〜６２ｄとの間の距離（前回距離）と、今回の処理で距離判定部１５４が判定した親機５１と子機６２ａ〜６２ｄとの間の距離（今回距離）との差分を求め、それを処理周期で除した値、親機５１と子機６２ａ〜６２ｄとの速度差を算出する。すなわち、親機５１と子機６２ａ〜６２ｄとの速度差＝（今回距離−前回距離）／処理周期となる。
【００３２】
そして、距離判定部１５４は、親機５１と子機６２ａ〜６２ｄとの間が、記憶部１５９に記憶されている検出距離＋α以上離れているかを、１つ１つの子機６２ａ〜６２ｄにつき順次判定する。
そして、制御部１５３は、親機５１との間で一定距離＋α以上離れている状態で、親機５１との間の速度差が一定値以上ある子機６２ａ〜６２ｄがある場合、アラーム部１５６を動作させ、タイマ１５５にて決められた時間だけアラームを鳴らすことができる。また、制御部１５３は、親機５１との間で一定距離以上離れている状態で、親機５１との間の速度差が一定値以上ある子機６２ａ〜６２ｄに固有のＩＤを記憶部１５９から読み出す。
【００３３】
そして、通信部１５２は、そのＩＤで特定される子機６２ａ〜６２ｄに対して、アラーム動作指令をそのＩＤとともに送信する。そして、アラーム動作指令がＩＤとともに親機５１から送られると、子機６２ａ〜６２ｄの通信部６４は、アラーム動作指令をＩＤとともに受信し、制御部６６に送る。そして、制御部６６は、通信部６４にて受信されたＩＤが自己のＩＤに一致しているかどうかを判断し、通信部６４にて受信されたＩＤが自己のＩＤに一致している場合、親機５１から送られたアラーム動作指令に基づいてアラーム部６５を動作させ、アラームを鳴らすことができる。そして、子機６２ａ〜６２ｄのアラームが鳴ると、子機６２ａ〜６２ｄから発するアラーム音に基づいて子機６２ａ〜６２ｄの盗難を周囲に知らせることができる。
【００３４】
これにより、親機５１と子機６２ａ〜６２ｄとの間で直接通信を行うことで、親機５１と子機６２ａ〜６２ｄとの間が一定距離以上離れているかどうかを判定することが可能となるとともに、親機５１と子機６２ａ〜６２ｄとの間の速度差が一定値以上あるかどうかを判定することができ、子機６２ａ〜６２ｄが紛失した際に子機６２ａ〜６２ｄが静止しているのか、子機６２ａ〜６２ｄが親機５１と反対方向に移動しているのかを識別することが可能となる。このため、携行品に子機６２ａ〜６２ｄを取り付けるとともに、親機５１を手元におくことで、携行品が紛失したのか盗難されたかを区別することができ、システム構成の大規模化を抑制しつつ、携行品の紛失および盗難を防止することが可能となる。
【００３５】
なお、上述した実施形態では、親機５１と子機６２ａ〜６２ｄとの間の通信状態の変化状況に基づいて、親機５１と子機６２ａ〜６２ｄとの間の速度差が一定値以上あるかどうかを判定する方法について説明したが、親機５１に速度センサを設け、子機６２ａ〜６２ｄ自体の速度を算出するようにしてもよい。これにより、親機５１が移動している場合においても、子機６２ａ〜６２ｄが静止しているのか、移動しているのかを判断することができ、携行品の盗難の判定精度を向上させることができる。
【００３６】
図７は、本発明の第４実施形態に係る紛失／盗難防止装置の概略構成を示す外観図である。
図７において、紛失／盗難防止装置には、親機７２および子機８２ａ〜８２ｄが設けられ、親機７２は子機８２ａ〜８２ｄとそれぞれ直接通信を行うことができる。ここで、親機７２はカスタムチップなどのチップ部品で構成することができ、例えば、親機７２は携帯電話７１などの携行品に組み込むことができる。また、子機８２ａ〜８２ｄは、例えば、ノートパソコン８１ａ、財布８１ｂ、靴８１ｃおよび傘８１ｄにそれぞれ取り付けて使用することができる。
【００３７】
そして、親機７２が組み込まれた携帯電話７１を自分の身に付けた状態で、ノートパソコン８１ａ、財布８１ｂ、靴８１ｃおよび傘８１ｄにそれぞれ子機８２ａ〜８２ｄを取り付け、親機７２と子機８２ａ〜８２ｄとの間で通信がそれぞれ確立すると、親機７２は、子機８２ａ〜８２ｄとの間の通信状態に基づいて、子機８２ａ〜８２ｄとの間が一定距離以上離れているかどうかを判定する。そして、親機７２は、親機７２と子機８２ａ〜８２ｄとの間が一定距離以上離れている場合、親機７２側でアラームを鳴らしたり、子機８２ａ〜８２ｄにアラームを鳴らすように指令したりすることができる。
ここで、親機７２をカスタムチップなどのチップ部品で構成することにより、携帯電話７１などの移動通信端末に親機７２を組み込むことが可能となり、移動通信端末の携帯性を損なうことなく、紛失／盗難防止装置を適用可能な物品の範囲を拡大することが可能となる。
【図面の簡単な説明】
【００３８】
【図１】本発明の第１実施形態に係る紛失／盗難防止装置の概略構成を示す外観図である。
【図２】本発明の第１実施形態に係る紛失／盗難防止装置の概略構成を示すブロック図である。
【図３】本発明の第２実施形態に係る紛失／盗難防止装置の概略構成を示す外観図である。
【図４】本発明の第２実施形態に係る紛失／盗難防止装置の概略構成を示すブロック図である。
【図５】本発明の第３実施形態に係る紛失／盗難防止装置の概略構成を示す外観図である。
【図６】本発明の第３実施形態に係る紛失／盗難防止装置の概略構成を示すブロック図である。
【図７】本発明の第４実施形態に係る紛失／盗難防止装置の概略構成を示す外観図である。
【符号の説明】
【００３９】
１１、３１、５１、７２  親機
１７、３９、５９  電源スイッチ
１２、３５、５５  アラームオン／オフスイッチ
１３  警報切り替え部
１４  アラーム音設定部
１５、３８、５８  音量設定部
１６  動作距離設定部
２１ａ、４１ａ、６１ａ、７１  携帯電話
２１ｂ、８１ａ  パーソナルコンピュータ
２１ｃ  ＵＳＢメモリ
２１ｄ  カバン
２２ａ〜２２ｄ、４２ａ〜４２ｄ、６２ａ〜６２ｄ、８２ａ〜８２ｄ  子機
２３、１１１、４３、１３１、６３、１５１  アンテナ
２４、１１２、４４、１３２、６４、１５２  通信部
１１３、４５、１３３、６６、１５３  制御部
１１４、１３４、１５４  距離判定部
１１５、１３５、１５５  タイマ
１１６、４６、１３６、６５、１５６  アラーム部
１１７  振動発生部
３２、５２  表示部
３３  子機探索部
３４、５４  選択ボタン
３４ａ、５４ａ  ＳＥＴボタン
３６、５６  距離個別設定ボタン
３７、５７  距離一括設定ボタン
４１ｂ、６１ｂ、８１ｂ  財布
４１ｃ、６１ｃ、８１ｃ  靴
４１ｄ、６１ｄ、８１ｄ  傘
４７、６７  ＩＤ格納部
１３９、１５９  記憶部
１３９ａ、１５９ａ  距離設定テーブル
１５７  速度差判定部
【図１】
2007272634.tif 000003
【図２】
2007272634.tif 000004
【図３】
2007272634.tif 000005
【図４】
2007272634.tif 000006
【図５】
2007272634.tif 000007
【図６】
2007272634.tif 000008
【図７】
2007272634.tif 000009